【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
前工程で生産された部品を用いて次工程で高次部品が生産され、その次工程で生産された高次部品を次々工程に供給して次々工程でより高次の部品が生産される連鎖が多段階に繰返され、最終部品生産工程で最終部品を生産して製品生産工程に供給するまでの部品供給系に潜む問題点を顕在化させることによって問題点の発見を支援するシステムであり、
製品とそれを構成する直近低次の部品群リスト（第１次部品群リスト）と、低次の部品とそれを構成するより低次の部品群リスト（第１次部品を構成する第２次部品群リストと、第２次部品を構成する第３次部品群リスト等）の連鎖を多段階に記憶している部品展開情報と、部品展開情報に含まれる低次の各部品に対して、部品の移動距離、部品生産時の不良率、部品のコスト、部品のリードタイムから選択される少なくとも一種の部品供給情報を対応付けて記憶している「部品展開情報／部品供給情報」記憶手段と、
各部品供給情報の基準値を記憶している基準値記憶手段と、
前記「部品展開情報／部品供給情報」記憶手段に記憶されている部品展開関係と、各部品に対応付けて記憶されている部品供給情報を図式的に表示する手段とを有し、
部品展開情報では、低次部品に対してその供給元の情報が関連付けて記憶されており、かつ、部品生産工程毎に部品展開情報が記憶されており、
前記図式的表示手段では、部品供給系が図式表示され、その図式表示された部品供給系に部品と部品供給情報が表示され、かつ、部品供給情報は、基準値を満たすか否かによって異なる態様で表示されることを特徴とする部品供給系の問題点発見支援システム。
【請求項２】
前工程で生産された部品を用いて次工程で高次部品が生産され、その次工程で生産された高次部品を次々工程に供給して次々工程でより高次の部品が生産される連鎖が多段階に繰返され、最終部品生産工程で最終部品を生産して製品生産工程に供給するまでの部品供給系に潜む問題点を顕在化させることによって問題点の発見を支援するシステムであり、
製品とそれを構成する直近低次の部品群リスト（第１次部品群リスト）と、低次の部品とそれを構成するより低次の部品群リスト（第１次部品を構成する第２次部品群リストと、第２次部品を構成する第３次部品群リスト等）の連鎖を多段階に記憶している部品展開情報と、部品展開情報に含まれる低次の各部品に対して、部品の移動距離、部品生産時の不良率、部品のコスト、部品のリードタイムから選択される少なくとも一種の部品供給情報を対応付けて記憶している「部品展開情報／部品供給情報」記憶手段と、
所定の検索条件に従って部品に対応付けて記憶されている部品供給情報を検索する手段と、
前記「部品展開情報／部品供給情報」記憶手段に記憶されている部品展開関係と、各部品に対応付けて記憶されている部品供給情報を図式的に表示する手段とを有し、
部品展開情報では、低次部品に対してその供給元の情報が関連付けて記憶されており、かつ、部品生産工程毎に部品展開情報が記憶されており、
前記図式的表示手段では、部品供給系が図式表示され、その図式表示された部品供給系に部品と部品供給情報が表示され、かつ、前記検索手段で検索された部品供給情報に対応付けられている部品及び／又は部品供給情報が、他から識別可能に表示されることを特徴とする部品供給系の問題点発見支援システム。
【請求項３】
各部品供給情報の基準値を記憶している手段が付加され、
前記検索手段は基準値を検索条件として検索し、基準値を満たさないとして検索された部品供給情報に対して、基準値を達成するための標準的対策リストをあわせて表示する手段が付加されている請求項２の問題点発見支援システム。
【請求項４】
部品生産工程毎に部品展開情報を記憶している手段は、当該生産工程で生産する部品を構成する低次の部品を供給する生産工程に備えられている記憶手段中に当該部品を生産部品として記憶しているデータに対するリンク情報を記憶していることを特徴とする請求項１から３のいずれかの問題点発見支援システム。
【請求項５】
部品展開情報に展開された低次の各部品に対して生産工程が対応して表示されることを特徴とする請求項１から４のいずれかの問題点発見支援システム。
【請求項６】
部品展開情報に各部品の生産工程から次工程までの物流情報が対応して表示されることを特徴とする請求項１から４のいずれかの問題点発見支援システム。
【請求項７】
各部品を構成する最低低次の部品から直近低次の部品までのリードタイムを累積したトータルリードタイムと、それを段階毎に分割した分解リードタイムが表示されることを特徴とする請求項１から４のいずれかの問題点発見支援システム。
【請求項８】
部品展開情報に、高次部品の生産に必要な部品の点数と部品の属性と部品の種類数から選択される少なくとも一種と、部品のコストと、部品のリードタイムとが対比可能に表示されることを特徴とする請求項１から４のいずれかの問題点発見支援システム。
【請求項９】
前工程で生産された部品を用いて次工程で高次部品が生産され、その次工程で生産された高次部品を次々工程に供給して次々工程でより高次の部品が生産される連鎖が多段階に繰返され、最終部品生産工程で最終部品を生産して製品生産工程に供給するまでの部品供給系に潜む問題点を顕在化させることによって問題点の発見を支援する方法であり、
各部品生産工程で、その生産工程で生産する部品に対応付けてその部品の生産に必要な直近低次の部品群リストを整備し、各直近低次の部品を生産する生産工程が整備するデータに対するリンク情報を整備し、その直近低次の各部品に対応付けて、部品の移動距離、部品生産時の不良率、部品のコスト、部品のリードタイムから選択される少なくとも一種の部品供給情報を整備してデータベースを整備する工程と、
各部品供給情報の基準値を設定する工程と、
前記リンク情報を活用して、製品を構成する部品群の展開関係と、製品を構成する部品の供給系と、各部品に対応付けて記憶されている部品供給情報を図式的に表示する工程とを含み、
前記図式的表示工程では、部品供給情報を、基準値を満たすか否かによって異なる態様で表示することを特徴とする部品供給系の問題点発見支援方法。
【請求項１０】
前工程で生産された部品を用いて次工程で高次部品が生産され、その次工程で生産された高次部品を次々工程に供給して次々工程でより高次の部品が生産される連鎖が多段階に繰返され、最終部品生産工程で最終部品を生産して製品生産工程に供給するまでの部品供給系に潜む問題点を顕在化させることによって問題点の発見を支援する方法であり、
各部品生産工程で、その生産工程で生産する部品に対応付けてその部品の生産に必要な直近低次の部品群リストを整備し、各直近低次の部品を生産する生産工程が整備するデータに対するリンク情報を整備し、その直近低次の各部品に対応付けて、部品の移動距離、部品生産時の不良率、部品のコスト、部品のリードタイムから選択される少なくとも一種の部品供給情報を整備してデータベースを整備する工程と、
所定の検索条件に従って部品に対応付けて記憶されている部品供給情報を検索する工程と、
前記リンク情報を活用して、製品を構成する部品群の展開関係と、製品を構成する部品の供給系と、各部品に対応付けて記憶されている部品供給情報を図式的に表示する工程とを含み、
前記図式的表示工程では、検索された部品供給情報に対応付けられている部品及び／又は部品供給情報を、他から識別可能に表示することを特徴とする部品供給系の問題点発見支援方法。
【請求項１１】
前工程で生産された部品を用いて次工程で高次部品が生産され、その次工程で生産された高次部品を次々工程に供給して次々工程でより高次の部品が生産される連鎖が多段階に繰返され、最終部品生産工程で最終部品を生産して製品生産工程に供給するまでの部品供給系に潜む問題点を顕在化させることによって問題点の発見を支援するためのプログラムであり、コンピュータに、以下の各段階、すなわち、
各部品生産工程で整備するデータベースであって、その生産工程で生産する部品に対応付けてその部品の生産に必要な直近低次の部品群リストと、各直近低次の部品を生産する生産工程が整備するデータに対するリンク情報と、その直近低次の各部品に対応付けた、部品の移動距離、部品生産時の不良率、部品のコスト、部品のリードタイムから選択される少なくとも一種の部品供給情報を整備しているデータベースから情報を取得する段階と、
各部品供給情報の基準値を設定する段階と、
前記リンク情報を活用して、製品を構成する部品群の展開関係と、製品を構成する部品の供給系と、各部品に対応付けて記憶されている部品供給情報を図式的に表示する段階とを実行させ、
前記図式的表示段階では、部品供給情報を、基準値を満たすか否かによって異なる態様で表示させることを特徴とする部品供給系の問題点発見のためのプログラム。
【請求項１２】
前工程で生産された部品を用いて次工程で高次部品が生産され、その次工程で生産された高次部品を次々工程に供給して次々工程でより高次の部品が生産される連鎖が多段階に繰返され、最終部品生産工程で最終部品を生産して製品生産工程に供給するまでの部品供給系に潜む問題点を顕在化させることによって問題点の発見を支援するためのプログラムであり、コンピュータに、以下の各段階、すなわち、
各部品生産工程で整備するデータベースであって、その生産工程で生産する部品に対応付けてその部品の生産に必要な直近低次の部品群リストと、各直近低次の部品を生産する生産工程が整備するデータに対するリンク情報と、その直近低次の各部品に対応付けた、部品の移動距離、部品生産時の不良率、部品のコスト、部品のリードタイムから選択される少なくとも一種の部品供給情報を整備しているデータベースから情報を取得する段階と、
所定の検索条件に従って部品に対応付けて記憶されている部品供給情報を検索する段階と、
前記リンク情報を活用して、製品を構成する部品群の展開関係と、製品を構成する部品の供給系と、各部品に対応付けて記憶されている部品供給情報を図式的に表示する段階とを実行させ、
前記図式的表示段階では、検索された部品供給情報に対応付けられている部品及び／又は部品供給情報を、他から識別可能に表示させることを特徴とする部品供給系の問題点発見のためのプログラム。
【手続補正２】
【補正対象書類名】明細書
【補正対象項目名】０００７
【補正方法】変更
【補正の内容】
【０００７】
本発明のシステムは、製品（図１には製品の１つがＡで例示されている）とその製品を構成する直近低次の部品群リスト（第１次部品群リストであり、図１にはその１つであるＢ１が例示されている）と、低次の部品とそれを構成するより低次の部品群リスト（第１次部品に対しては第２次部品群のリストであり、第２次部品に対しては第３次部品群のリストが相当する。図１には、第１次部品Ｂ１には第２次部品群Ｃ１、Ｃ２が必要であり、第２次部品Ｃ１には第３次部品群Ｄ１、Ｄ２が必要であり、第３次部品Ｄ１には第４次部品群Ｅ１、Ｅ２、Ｅ３、Ｅ４が必要であることを例示している）の連鎖を多段階に記憶している部品展開情報と、部品展開情報に含まれる各部品に対して、部品の移動距離、部品生産時の不良率、部品のコスト、部品のリードタイムから選択される少なくとも１種の部品供給情報を対応付けて記憶している「部品展開情報／部品供給情報」記憶手段と、各部品供給情報の基準値を記憶している基準値記憶手段とを有する。また、前記「部品展開情報／部品供給情報」記憶手段に記憶されている部品展開関係と、各部品に対応付けて記憶されている部品供給情報を図式的に表示する手段を有する。
そして、部品展開情報では、低次部品に対してその供給元の情報が関連付けて記憶されており、かつ、部品生産工程毎に部品展開情報が記憶されている。また前記図式的表示手段では、部品供給系が図式表示され、その図式表示された部品供給系に部品と部品供給情報が表示され、かつ、部品供給情報は、基準値を満たすか否かによって異なる態様で表示される。
【手続補正３】
【補正対象書類名】明細書
【補正対象項目名】０００８
【補正方法】変更
【補正の内容】
【０００８】
例えば図１に模式的に示す例では、第１次部品Ｂ１に対して第１次部品Ｂ１の部品供給情報ｂ１が対応付けて表示される。また、第１次部品Ｂ１を展開した図式表示に第２次部品Ｃ１とＣ２が表示され、第２次部品Ｃ１に対応して第２次部品Ｃ１の部品供給情報ｃ１が表示され、第２次部品Ｃ２に対応して第２次部品Ｃ２の部品供給情報ｃ２が表示される。部品供給情報ｂ１、ｃ１、ｃ２は、部品Ｂ１、Ｃ１、Ｃ２の部品供給に関する情報の１種であり、具体的には、部品の移動距離、部品の生産時の不良率、部品のコスト、部品のリードタイムの中から選択される。選択される情報は、１種又は２種類以上である。
ここで例示する部品展開情報は、部品生産工程毎に記憶されている。この部品展開情報では、例えば第１次部品Ｂ１の低次部品である第２次部品Ｃ１、Ｃ２に対してそれぞれの供給元（第２次工程）の情報が関連付けて記憶されている。また第２次部品Ｃ１の低次部品である第３次部品Ｄ１、Ｄ２に対してそれぞれの供給元（第３次工程）の情報が関連付けて記憶されており、第２次部品Ｃ２の低次部品である第３次部品Ｄ３に対してその供給元（第３次工程）の情報が関連付けて記憶されている。さらに第３次部品Ｄ１の低次部品である第４次部品Ｅ１、Ｅ２、Ｅ３、Ｅ４に対してそれぞれの供給元（第４次工程）の情報が関連付けて記憶されており、第３次部品Ｄ２の低次部品である第４次部品Ｅ５、Ｅ６、Ｅ７、Ｅ８に対してそれぞれの供給元（第４次工程）の情報が関連付けて記憶されており、第３次部品Ｄ３の低次部品である第４次部品Ｅ９、Ｅ１０、Ｅ１１、・・・に対してそれぞれの供給元（第４次工程）の情報が関連付けて記憶されている。供給元の情報を手掛かりとして部品生産工程毎に記憶されている部品展開情報を連結することが可能となり、部品供給系を正確に再現することが可能となる。
ここで例示する各部品供給情報には、基準値が設定されている。基準値とは、各部品供給情報に設定された目標値であり、例えば所定の移動距離、所定の不良率、所定のコスト、所定のリードタイムが設定されている。
【手続補正４】
【補正対象書類名】明細書
【補正対象項目名】０００９
【補正方法】変更
【補正の内容】
【０００９】
図１に模式的に示すように、部品供給系が図式表示され、この部品供給系に部品展開関係と、各部品に対応付けて記憶されている部品供給情報が表示されると、大規模な部品供給系の全体を視覚を通して把握することが可能となる。
その上で、部品供給情報が、基準値を超えたか否かによって異なる態様で表示されると、その部品供給系のどの部分において基準値を満たさない部品が存在しているのかが明確化され、問題点の発見に寄与することができる。
【手続補正５】
【補正対象書類名】明細書
【補正対象項目名】００１０
【補正方法】変更
【補正の内容】
【００１０】
図１に模式的に示した情報量は膨大であり、容易なことでは整備することができない。自工程からすれば、第１次工程で生産される第１次部品については、移動距離、不良率、コスト、リードタイム等を調べやすいのに対し、第２次工程、第３次工程となると調査に大変な労力を要する。
そこで、部品生産工程毎に部品展開情報を記憶している手段は、当該生産工程で生産する部品を構成する低次の部品を供給する生産工程に備えられている記憶手段中に当該部品を生産部品として記憶しているデータに対するリンク情報を記憶していることが好ましい。
図１の場合、第１次工程に記憶された部品展開情報に第１次部品Ｂ１の第２次部品はＣ１、Ｃ２であることが記憶され、第２次工程に記憶された部品展開情報に第２次部品Ｃ１の第３次部品はＤ１、Ｄ２であることが記憶され、第３次工程に記憶された部品展開情報に第３次部品Ｄ１の第４次部品はＥ１、Ｅ２、Ｅ３、Ｅ４であることが記憶されている。また、第１次工程の記憶手段に記憶されているデータ１０３には第２次部品Ｃ１を生産部品として記憶している第２次工程の記憶手段に記憶されているデータ１０５へのリンク情報が記憶され、第２次工程の記憶手段に記憶されているデータ１０５には第３次部品Ｄ１を生産部品として記憶している第３次工程の記憶手段に記憶されているデータ１０７へのリンク情報が記憶されている。
記憶手段に記憶されたリンク情報によって、部品とそれを構成する直近低次の部品群と部品供給情報を記憶するデータをリンクするようにすると、各生産工程では比較的調査しやすい情報を整備するだけですみ、膨大な情報量となる大規模生産系の部品供給系の全体を記述するデータベースが短時間に整備される。
【手続補正６】
【補正対象書類名】明細書
【補正対象項目名】００１１
【補正方法】変更
【補正の内容】
【００１１】
また、本発明では、部品供給系の問題点を顕在化して問題点を発見しやすくする他のシステムを創作した。
このシステムは、部品展開情報と、部品供給情報とを対応付けて記憶している「部品展開情報／部品供給情報」記憶手段を有している。ここでの部品展開情報では、低次部品に対してその供給元の情報が関連付けて記憶されており、かつ、部品生産工程毎に部品展開情報が記憶されている。
またこのシステムは、所定の検索条件に従って部品に対応付けて記憶されている部品供給情報を検索する手段を有している。検索条件は様々に設定可能であり、所定移動距離を越える部品、所定不良率を超える部品、所定コスト以上の部品、所定リードタイム以上を要する部品等を検索することができる。検索条件は予め設定されていてもよいし、必要に応じて設定するものであってもよい。
このシステムの図式的表示手段では、部品供給系が図式表示され、その図式表示された部品供給系に部品と部品供給情報が表示され、かつ、前記検索手段で検索された部品供給情報に対応付けられている部品及び／又は部品供給情報が、他から識別可能に表示される。所定の検索条件に従って検索された部品供給情報に対応付けられている部品及び／又は部品供給情報が、他から識別可能に表示されると、部品の供給系に存在する問題点（例えば非常に高価な部品の存在等）が顕在化され、問題点の発見が効果的に支援される。
【手続補正７】
【補正対象書類名】明細書
【補正対象項目名】００１２
【補正方法】変更
【補正の内容】
【００１２】
各部品供給情報の基準値を記憶している手段が付加されていることが好ましい。
また検索条件は様々に設定可能であるが、検索手段が基準値を検索条件として検索することが好ましい。さらに基準値を満たさないとして検索された項目に対して、基準値を達成するための標準的対策リストをあわせて表示する手段が付加されていることが好ましい。
例えば、部品を構成する低次部品の移動距離が記憶されている場合に、所定以上の移動距離を要する部品を検索することができる。この場合、移動距離を短縮する標準的対策、例えば、部品を生産する生産工程の取捨選択等の対策が示されると、問題点の存在とそれに対する対策が示され、部品供給系の問題点が急速に改善されるものと期待される。


【手続補正８】
【補正対象書類名】明細書
【補正対象項目名】００１３
【補正方法】変更
【補正の内容】
【００１３】
図式化された部品展開情報に展開された低次の各部品に対して生産工程が対応して表示されることが好ましい。
この場合、同一部品を生産する部品供給工程が重複している実態や、部品供給に問題の多い部品供給工程が一目瞭然となり、必要な対策がとり易くなる。あるいは、優れた部品供給工程が一目瞭然となり、部品供給工程側にとっては自己の能力が適正に評価される機会が得られ、部品の供給を受ける工程側にとっては優秀な部品供給工程を見つけやすくなる。あるいは、優秀な部品供給経路を確立しやすくなる。即ち、安価で短納期に部品を供給する部品供給系を確立しやすくなる。


【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
各部品を構成する最低低次の部品から直近低次の部品までのリードタイムを累積したトータルリードタイムと、それを段階毎に分割した分解リードタイムが表示されることが好ましい。
例えば、第４次部品のリードタイムが0.5日、第３次部品のリードタイムが0.5日、第２次部品のリードタイムが0.5日とすると、第１次部品のトータルリードタイムは1.5日と表示され、トータルリードタイムが一目瞭然となる。また例えば、発注から納入までの各供給段階のリードタイムが表示されると、リードタイムの短縮のために有効な対策がとりやすくなる。
【手続補正１８】
【補正対象書類名】明細書
【補正対象項目名】００２４
【補正方法】変更
【補正の内容】
【００２４】
図式化された部品展開情報の各部品に対応して、高次部品の生産に必要な部品の点数と部品の属性と部品の種類数から選択される少なくとも一種と、部品のコストと、部品のリードタイムとが対比可能に表示されることが好ましい。
この場合、部品構成に関する技術情報と、コスト情報と、リードタイム情報が対比可能に表示されることから、部品供給系を技術面と生産面と物流面から総合的に把握することが可能となり、総合的な対策がとりやすくなる。
なお、上記の項目の他に、必要な他の項目をあわせて表示することもできる。


【手続補正１９】
【補正対象書類名】明細書
【補正対象項目名】００２５
【補正方法】変更
【補正の内容】
【００２５】
本発明では、部品供給系の問題点を顕在化して問題点を発見しやすくする方法を創作した。本発明の方法では、下記の各工程を実行する。すなわち、各部品生産工程で、その生産工程で生産する部品に対応付けてその部品の生産に必要な直近低次の部品群リストを整備し、各直近低次の部品を生産する生産工程が整備するデータに対するリンク情報を整備し、その直近低次の各部品に対応付けて、部品の移動距離、部品生産時の不良率、部品のコスト、部品のリードタイムから選択される少なくとも一種の部品供給情報を整備してデータベースを整備する工程と、各部品供給情報の基準値を設定する工程と、前記リンク情報を活用して、製品を構成する部品群の展開関係と、製品を構成する部品の供給系と、各部品に対応付けて記憶されている部品供給情報を図式的に表示する工程とを実行する。そして、前記図式的表示工程では、部品供給情報を、基準値を満たすか否かによって異なる態様で表示することを特徴とする。
【手続補正２０】
【補正対象書類名】明細書
【補正対象項目名】００２６
【補正方法】変更
【補正の内容】
【００２６】
本方法では、部品生産工程毎に、生産する部品に対応付けてその部品の生産に必要な直近低次の部品群リストを整備する。また、その直近低次の各部品に対応付けて少なくとも１種の部品供給情報を整備する。このときに、直近低次の部品生産工程と部品群について調査するだけで足り、さらに遡及して調査する必要がないために、比較的に容易に信頼のできるデータベースが完成する。
各生産工程で整備されるデータベースに、低次部品の部品を生産する生産工程が整備するデータに対するリンク情報を整備するために、各個独立に整備されたデータベースの群が１つのまとまりのある大規模データベースを構成することになる。
図１の場合、第１次工程のデータ１０３に第１次部品Ｂ１を構成する第２次部品はＣ１、Ｃ２であることが記憶され、第２次工程のデータ１０５に第２次部品Ｃ１を構成する第３次部品はＤ１、Ｄ２であることが記憶され、第３次工程のデータ１０７に第３次部品Ｄ１を構成する第４次部品はＥ１、Ｅ２、Ｅ３、Ｅ４であることが記憶されている他、第１次工程のデータ１０３には第２次部品Ｃ１を生産部品として記憶している第２次工程のデータ１０５へのリンク情報が記憶され、第２次工程のデータ１０５には第３次部品Ｄ１を生産部品として記憶している第３次工程のデータ１０７へのリンク情報が記憶されている。
本方法では、部品供給系が図式表示され、この部品供給系に部品展開関係と、各部品に対応付けて記憶されている部品供給情報が表示される。このため、大規模な部品供給系の全体を視覚を通して把握することが可能となる。
その上で、部品供給情報が、基準値を超えたか否かによって異なる態様で表示される。このため、その部品供給系のどの部分において基準値を満たさない部品が存在しているのかが明確化され、問題点の発見に寄与することができる。
【手続補正２１】
【補正対象書類名】明細書
【補正対象項目名】００２７
【補正方法】変更
【補正の内容】
【００２７】
また、本発明では、部品供給系の問題点を顕在化して問題点を発見しやすくする他の方法を創作した。本方法では、下記の工程を実施する。すなわち、各部品生産工程で、直近低次の部品群リストを整備し、各直近低次の部品を生産する生産工程が整備するデータに対するリンク情報を整備し、部品供給情報を整備してデータベースを整備する工程と、所定の検索条件に従って部品に対応付けて記憶されている部品供給情報を検索する工程とを実行する。そして、前記リンク情報を活用して、製品を構成する部品群の展開関係と、製品を構成する部品の供給系と、各部品に対応付けて記憶されている部品供給情報を図式的に表示する工程では、検索された部品供給情報に対応付けられている部品及び／又は部品供給情報を、他から識別可能に表示する。
本方法のように所定の検索条件に従って検索された部品供給情報に対応付けられている部品及び／又は部品供給情報が、他から識別可能に表示されると、部品の供給系に存在する問題点が顕在化され、問題点の発見が効果的に支援される。
【手続補正２２】
【補正対象書類名】明細書
【補正対象項目名】００２８
【補正方法】変更
【補正の内容】
【００２８】
本発明では、部品供給系の問題点を顕在化して問題点を発見しやすくするためのプログラムを創作した。本発明のプログラムでは、コンピュータに下記の段階を実行させる。すなわち、各部品生産工程で整備するデータベースであって、その生産工程で生産する部品に対応付けてその部品の生産に必要な直近低次の部品群リストと、各直近低次の部品を生産する生産工程が整備するデータに対するリンク情報と、その直近低次の各部品に対応付けた、部品の移動距離、部品生産時の不良率、部品のコスト、部品のリードタイムから選択される少なくとも一種の部品供給情報を整備しているデータベースから情報を取得する段階と、各部品供給情報の基準値を設定する段階と、前記リンク情報を活用して、製品を構成する部品群の展開関係と、製品を構成する部品の供給系と、各部品に対応付けて記憶されている部品供給情報を図式的に表示する段階とを実行させる。そして、前記図式的表示段階では、部品供給情報を、基準値を満たすか否かによって異なる態様で表示させる。
本プログラムは、部品供給系を図式表示させ、この部品供給系に部品展開関係と、各部品に対応付けて記憶されている部品供給情報を表示させる。このため、大規模な部品供給系の全体を視覚を通して把握することが可能となる。
その上で、部品供給情報が、基準値を超えたか否かによって異なる態様で表示させる。このため、その部品供給系のどの部分において基準値を満たさない部品が存在しているのかが明確化され、問題点の発見に寄与することができる。
【手続補正２３】
【補正対象書類名】明細書
【補正対象項目名】００２９
【補正方法】変更
【補正の内容】
【００２９】
また、本発明では、部品供給系の問題点を顕在化して問題点を発見しやすくするための他のプログラムを創作した。本発明のプログラムでは、コンピュータに下記の段階を実行させる。すなわち、各部品生産工程で整備するデータベースであって、直近低次の部品群リストと、リンク情報と、部品供給情報を整備しているデータベースから情報を取得する段階と、所定の検索条件に従って部品に対応付けて記憶されている部品供給情報を検索する段階とを実行させる。そして、前記リンク情報を活用して、製品を構成する部品群の展開関係と、製品を構成する部品の供給系と、各部品に対応付けて記憶されている部品供給情報を図式的に表示する段階では、検索された部品供給情報に対応付けられている部品及び／又は部品供給情報を、他から識別可能に表示させる。
本プログラムのように所定の検索条件に従って検索された部品供給情報に対応付けられている部品及び／又は部品供給情報を、他から識別可能に表示させると、部品の供給系に存在する問題点が顕在化され、問題点の発見が効果的に支援される。
【手続補正２４】
【補正対象書類名】明細書
【補正対象項目名】００３０
【補正方法】削除
【補正の内容】